(57)【特許請求の範囲】
【請求項１】
ユーザ装置とコンピュータと管理装置と印刷装置とを備え、
前記ユーザ装置は、ユーザを示すユーザ識別子が記憶されたメモリと、当該ユーザ識別子を読み出す制御回路と、当該読み出されたユーザ識別子に応じた波形をもつ電圧を生成する発振回路と、当該電圧を当該ユーザに印加する電極とを備え、
前記コンピュータは、前記ユーザを介して電圧が印加される電極と、該電極に印加された電圧により前記ユーザ識別子を検出する検出部と、前記検出されたユーザ識別子並びに前記印刷装置に印刷される文書を示す文書識別子を前記管理装置に送信する送信部とを備え、
前記管理装置は、前記送信された文書識別子およびユーザ識別子を関連づけて記憶する管理情報記憶部と、前記印刷装置から送信されるユーザ識別子に関連する文書識別子を前記管理情報記憶部から読み出し、前記読み出された文書識別子により示される場所に記憶された文書を取得し、当該文書を前記印刷装置に送信する送信部とを備え、
前記印刷装置は、前記ユーザを介して電圧が印加される電極と、該電極に印加された電圧により前記ユーザ識別子を検出する検出部と、前記検出されたユーザ識別子を前記管理装置に送信する送信部と、前記送信された文書を印刷する印刷部を備える
ことを特徴とする文書印刷システム。
【請求項２】
ユーザ装置と送信装置と管理装置と印刷装置とを備え、
前記ユーザ装置は、コンピュータの使用を許可されたユーザを示すユーザ識別子が記憶されたメモリと、当該ユーザ識別子を読み出す制御回路と、当該読み出されたユーザ識別子に応じた波形をもつ電圧を生成する発振回路と、当該電圧を当該ユーザに印加する電極とを備え、
前記送信装置は、該送信装置を示す送信装置識別子が記憶されたメモリと、前記ユーザを介して電圧が印加される電極と、該電極に印加された電圧により前記ユーザ識別子を検出する検出部と、前記送信装置識別子を読み出し、当該送信装置識別子と前記検出されたユーザ識別子を前記管理装置に送信する送信部とを備え、
前記管理装置は、前記コンピュータのアドレス、前記ユーザ識別子および前記送信装置識別子を関連づけて記憶する認証情報記憶部と、前記アドレスをもつコンピュータから送信された文書識別子を前記ユーザ識別子に関連づけて記憶する管理情報記憶部と、前記印刷装置から送信されるユーザ識別子に関連する文書識別子を前記管理情報記憶部から読み出し、前記読み出された文書識別子により示される場所に記憶された文書を取得し、当該文書を前記印刷装置に送信する送信部とを備え、
前記印刷装置は、前記ユーザを介して電圧が印加される電極と、該電極に印加された電圧により前記ユーザ識別子を検出する検出部と、前記検出されたユーザ識別子を前記管理装置に送信する送信部と、前記送信された文書を印刷する印刷部を備える
ことを特徴とする文書印刷システム。
【請求項３】
前記管理装置の送信部は、前記読み出された文書識別子に対応する文書の文書名からなるリストを前記印刷装置に送信するとともに、前記印刷装置から送信された文書名に対応する文書を取得し、当該文書を前記印刷装置に送信するものであり、
前記印刷装置は、前記リストを表示する表示装置を備え、
前記印刷装置の送信部は、前記リストから選択された文書名を前記管理装置に送信するものである
ことを特徴とする請求項１または２記載の文書印刷システム。
【請求項４】
前記送信装置の電極は床に設けられ、
前記ユーザを介して電圧が印加される電極と、該電極に接続されるとともに床に向けて配置された電極とを備える可動式の椅子
を備えることを特徴とする請求項２または３記載の文書印刷システム。
【発明の詳細な説明】
【技術分野】
【０００１】
本発明は、共有の印刷装置により印刷された文書内の情報の流出防止を図るための文書印刷システムに関する。
【背景技術】
【０００２】
従来にあって企業などでは、文書を印刷すべく、複数の社員がそれぞれのコンピュータを操作すると、文書がサーバに蓄積され、蓄積された文書は、共有の印刷装置に順次に送信されて印刷される。各社員は、印刷装置に赴き、自分の操作で印刷された文書を選んで、それを持ち帰る。
【非特許文献１】RedTacton、［平成１７年１０月３日検索］、インターネット＜URL： http://www.redtacton.com/jp/info/index.html＞
【発明の開示】
【発明が解決しようとする課題】
【０００３】
上記のように、従来にあっては、各社員の文書が共有の印刷装置から印刷されるので、文書が誤って他の社員に持ち去られることがある。また、社員が印刷の操作をしたことを忘れ、文書が印刷されたまま放置されることがある。また、文書を持ち去ろうと印刷装置の場所で待機していた者や、放置された文書に気づいた者により文書が悪意で持ち去られ、その文書内の情報が流出する虞がある。
【０００４】
本発明は、上記の課題に鑑みてなされたものであり、その目的とするところは、共有の印刷装置により印刷された文書内の情報の流出防止を図ることにある。
【課題を解決するための手段】
【０００５】
上記の課題を解決するために、第１の本発明に係る文書印刷システムは、ユーザ装置とコンピュータと管理装置と印刷装置とを備え、前記ユーザ装置は、ユーザを示すユーザ識別子が記憶されたメモリと、当該ユーザ識別子を読み出す制御回路と、当該読み出されたユーザ識別子に応じた波形をもつ電圧を生成する発振回路と、当該電圧を当該ユーザに印加する電極とを備え、前記コンピュータは、前記ユーザを介して電圧が印加される電極と、該電極に印加された電圧により前記ユーザ識別子を検出する検出部と、前記検出されたユーザ識別子並びに前記印刷装置に印刷される文書を示す文書識別子を前記管理装置に送信する送信部とを備え、前記管理装置は、前記送信された文書識別子およびユーザ識別子を関連づけて記憶する管理情報記憶部と、前記印刷装置から送信されるユーザ識別子に関連する文書識別子を前記管理情報記憶部から読み出し、前記読み出された文書識別子により示される場所に記憶された文書を取得し、当該文書を前記印刷装置に送信する送信部とを備え、前記印刷装置は、前記ユーザを介して電圧が印加される電極と、該電極に印加された電圧により前記ユーザ識別子を検出する検出部と、前記検出されたユーザ識別子を前記管理装置に送信する送信部と、前記送信された文書を印刷する印刷部を備えることを特徴とする。
【０００６】
第２の本発明に係る文書印刷システムは、ユーザ装置と送信装置と管理装置と印刷装置とを備え、前記ユーザ装置は、コンピュータの使用を許可されたユーザを示すユーザ識別子が記憶されたメモリと、当該ユーザ識別子を読み出す制御回路と、当該読み出されたユーザ識別子に応じた波形をもつ電圧を生成する発振回路と、当該電圧を当該ユーザに印加する電極とを備え、前記送信装置は、該送信装置を示す送信装置識別子が記憶されたメモリと、前記ユーザを介して電圧が印加される電極と、該電極に印加された電圧により前記ユーザ識別子を検出する検出部と、前記送信装置識別子を読み出し、当該送信装置識別子と前記検出されたユーザ識別子を前記管理装置に送信する送信部とを備え、前記管理装置は、前記コンピュータのアドレス、前記ユーザ識別子および前記送信装置識別子を関連づけて記憶する認証情報記憶部と、前記アドレスをもつコンピュータから送信された文書識別子を前記ユーザ識別子に関連づけて記憶する管理情報記憶部と、前記印刷装置から送信されるユーザ識別子に関連する文書識別子を前記管理情報記憶部から読み出し、前記読み出された文書識別子により示される場所に記憶された文書を取得し、当該文書を前記印刷装置に送信する送信部とを備え、前記印刷装置は、前記ユーザを介して電圧が印加される電極と、該電極に印加された電圧により前記ユーザ識別子を検出する検出部と、前記検出されたユーザ識別子を前記管理装置に送信する送信部と、前記送信された文書を印刷する印刷部を備えることを特徴とする。
【発明の効果】
【０００７】
本発明によれば、ユーザが印刷装置の電極に触れたときにそのユーザの文書のみが印刷されるので、文書が誤って持ち去られることがない。また、文書が印刷されたまま放置されることがない。よって、印刷装置の場所で待機する者や、放置された文書に気づいた者により文書が悪意で持ち去られ、その文書内の情報が流出する虞がない。
【０００８】
また、予めユーザ識別子などに関連づけて記憶したアドレスをもつコンピュータから送信された文書識別子をユーザ識別子などに関連づけて記憶し、その文書識別子の文書を印刷するようにしたので、コンピュータにユーザ識別子を検出する検出部などを設ける必要がなく、通常のコンピュータを使用して文書を印刷することができる。
【０００９】
また、文書名のリストから選択された文書名の文書を印刷するようにしたので、必要な文書だけを印刷することができる。
【００１０】
また、送信装置の電極を床に設け、電極を有する可動式の椅子を設けたので、椅子の位置を変えてもコンピュータに対する文書印刷の操作を行うことができる。
【発明を実施するための最良の形態】
【００１１】
以下、本発明の一実施の形態に係る文書印刷システムについて図面を参照して説明する。
【００１２】
［第１の実施の形態］
図１は、第１の実施の形態に係る文書印刷システムの構成図である。
【００１３】
複数のコンピュータ１が、ＬＡＮ(Local Area Network)などのネットワーク２に接続され、ネットワーク２には、管理装置３と印刷装置４が接続される。ユーザＵａは、ユーザ装置５ａを、例えばネックストラップにより首から下げている。
【００１４】
図２は、ユーザ装置５ａの構成図である。
【００１５】
ユーザ装置５ａは、ユーザＵａを示すユーザ識別子が記憶されたメモリ５１、そのユーザ識別子を読み出す制御回路５２、そのユーザ識別子に応じた波形をもつ電圧を生成する発振回路５３、その電圧をユーザＵａに印加する電極５４を備える。
【００１６】
ユーザＵａが属する組織では、同様なユーザ装置が複数使用される。各ユーザ装置のメモリ５１には、固有のユーザ識別子が記憶されている。ユーザＵａは、そのユーザ装置の１つであるユーザ装置５ａを所持しているのである。
【００１７】
図３は、コンピュータ１の構成図である。
【００１８】
図３（ａ）に示すように、コンピュータ１は、ユーザ識別子などを管理装置３に送信するのに使用されるので、送信装置ともいい、その送信装置であるコンピュータ１を示す送信装置識別子が記憶されたメモリ１１と、ユーザを介して電圧が印加される電極１２と、電極１２に印加された電圧によりユーザ識別子を検出する検出部１３と、送信装置識別子、検出されたユーザ識別子並びに印刷すべき文書を示す文書識別子を管理装置３に送信する送信部１４とを備える。検出部１３は、電極１２に印加された電圧を光学的に検出する電界光学検出部１３１、光学的な検出結果を電気信号に変換する信号処理回路１３２、電気信号の波形を整形する波形整形回路１３３を備える。電極１２は、例えば入力装置であるマウスに設けられる。電極１２は、キーボードやディスプレイ装置に設けてもよい。
【００１９】
なお、図３（ｂ）に示すように、検出部１３は、電極１２の電圧信号から搬送波を抽出する搬送波再生回路１３６と、搬送波再生回路１３６で再生された搬送波と電極１２の電圧信号をもとにユーザ識別子を検出する復調回路１３７と、復調回路１３７より出力される復調信号のＨレベルとＬレベルの反転が起きていないかを判定し補正するための補正回路１３８とにより構成してもよい。
【００２０】
図４は、管理装置３の構成図である。
【００２１】
管理装置３は、各送信装置識別子にその送信装置識別子を記憶したコンピュータ１の使用を許可されたユーザのユーザ識別子を関連づけて記憶する認証情報記憶部３１と、認証情報記憶部３１に記憶された送信装置識別子で示されるコンピュータ１から送信された文書識別子およびユーザ識別子を関連づけて記憶する管理情報記憶部３２と、印刷装置４から送信されるユーザ識別子に関連する文書識別子を管理情報記憶部３２から読み出し、読み出された文書識別子により示される場所に記憶された文書を取得し、当該文書を印刷装置４に送信する送信部３３とを備える。
【００２２】
送信部３３は、コンピュータ１や印刷装置４から情報を受信する機能、管理情報記憶部３２に情報を記憶させる機能、文書名からなるリストを生成し印刷装置４に送信する機能などを兼ね備える。
【００２３】
図５は、印刷装置４の構成図である。
【００２４】
図５（ａ）に示すように、印刷装置４は、ユーザＵａを介して電圧が印加される電極４１、電極４１に印加された電圧によりユーザ識別子を検出する検出部４２、検出されたユーザ識別子を管理装置３に送信する送信部４３と、送信された文書を印刷する印刷部４４と、文書名などを表示する表示装置４５と、文書名を選択するのに使用される入力装置４６を備える。
【００２５】
検出部４２は、電極４１に印加された電圧を光学的に検出する電界光学検出部４２１、光学的な検出結果を電気信号に変換する信号処理回路４２２、電気信号の波形を整形する波形整形回路４２３を備える。
【００２６】
送信部４３は、送信された文書などを受信する機能、送信された文書を印刷部４４に与える機能、送信されたリストを表示装置４５に表示させる機能、リストから選択された文書名を入力装置４６からの信号により検出する機能を兼ね備える。
【００２７】
なお、図５（ｂ）に示すように、検出部１３は、電極４１の電圧信号から搬送波を抽出する搬送波再生回路４２６と、搬送波再生回路４２６で再生された搬送波と電極４１の電圧信号をもとにユーザ識別子を検出する復調回路４２７と、復調回路４２７より出力される復調信号のＨレベルとＬレベルの反転が起きていないかを判定し補正するための補正回路４２８とにより構成してもよい。
【００２８】
印刷装置４を既存の印刷装置から構成する場合、図６に示すように、送信部４３は、既存の印刷装置がもつネットワークインタフェース回路４３１の外に新たなネットワークインタフェース回路４３２および経路制御装置４３３を備える。
【００２９】
送信部４３は、文書を印刷部４４に印刷させるべく、検出部４２で検出されたユーザ識別子を管理装置３に送信するのであるが、そのときは、ネットワークインタフェース回路４３２と経路制御装置４３３を介してユーザ識別子を送信する。
【００３０】
管理装置３は、文書を印刷装置４に送信するのだが、管理装置３は、予めネットワークインタフェース回路４３１のアドレスを記憶しており、そのアドレスを宛先として文書を送信する。
【００３１】
経路制御装置４３３は、送信された文書を宛先通りにネットワークインタフェース回路４３１に送信し、その文書はネットワークインタフェース回路４３１を介して印刷部４４に与えられ、印刷される。
【００３２】
一方、印刷装置４を新たに構成する場合、図７に示すように、送信部４３は、ネットワークインタフェース回路については１つのみを備える。このネットワークインタフェース回路をネットワークインタフェース回路４３２という。
【００３３】
送信部４３は、検出部４２で検出されたユーザ識別子をネットワークインタフェース回路４３２を介して管理装置３に送信する。
【００３４】
管理装置３は、予めネットワークインタフェース回路４３２のアドレスを記憶しておく必要はなく、ネットワークインタフェース回路４３２のアドレスが管理装置３に通知されるので、そのアドレスを宛先として文書を送信する。
【００３５】
ネットワークインタフェース回路４３２は、送信された文書を印刷部４４に与え、その文書は印刷部４４で印刷される。
【００３６】
（第１の実施の形態に係る文書印刷システムの動作）
図８は、第１の実施の形態に係る文書印刷システムの動作を示すシーケンス図である。
【００３７】
ユーザ装置５ａの制御回路５２は、メモリ５１からユーザ識別子を読み出す。発振回路５３は、そのユーザ識別子に応じた波形をもつ電圧を生成し、その電圧を継続的に電極５４に印加する。電極５４は、電極５４は、その電圧をユーザＵａに印加する。
【００３８】
ユーザＵａは、ある文書を印刷すべく、コンピュータ１の電極１２に触れる。ユーザ装置５ａの電極５４は、ユーザＵａを介して、ユーザ識別子に応じた波形をもつ電圧をコンピュータ１の電極１２に印加する。こうして、ユーザ装置５ａはユーザ識別子をコンピュータ１に送信する（Ｓ１）。
【００３９】
コンピュータ１の検出部１３は、電極１２に印加された電圧によりユーザ識別子を検出する。ここでは、電界光学検出部１３１が、電極１２に印加された電圧を光学的に検出し、信号処理回路１３２は、その光学的な検出結果を電気信号に変換する。波形整形回路１３３は、その電気信号の波形を整形し、整形後の波形によりユーザ識別子を検出し、ユーザ識別子を送信部１４に出力する。
【００４０】
あるいは、搬送波再生回路１３６が、電極１２の電圧信号から搬送波を抽出し、復調回路１３７が、搬送波再生回路１３６で再生された搬送波と電極１２の電圧信号をもとにユーザ識別子を検出し、補正回路１３８が、復調回路１３７より出力される復調信号のＨレベルとＬレベルの反転が起きていないかを判定し、判定結果により必要ならば反転を補正し、その復調信号によりユーザ識別子を送信部１４に出力する。
【００４１】
図示していないが、さらに詳しく説明すると、例えば、電界光学検出部１３１は、電極の電圧に応じた電界を電気光学結晶に結合させ、その電気光学結晶にレーザ光を入射させることで、レーザ光に偏向変化を生じさせる。信号処理回路１３２は、その偏向変化が生じたレーザ光を偏向ビームスプリッタで分離することなどによって、偏向変化を強度変化に変換し、レーザ光の強度変化を光電変換素子などにより電気信号に変換する。波形整形回路１３３は、電気信号を低雑音アンプを用いて増幅し、信号帯域外の不要な雑音成分をローパスフィルタ、ハイパスフィルタ、バンドパスフィルタ等のフィルタで除去する。
【００４２】
送信部１４は、メモリ１１から送信装置識別子を読み出し、波形整形回路１３３から送信されたユーザ識別子と当該送信装置識別子をネットワーク２を介して、管理装置３に送信する（Ｓ３）。
【００４３】
管理装置３の送信部３３は、送信されたユーザ識別子と送信装置識別子が関連づけて認証情報記憶部３１に記憶されているなら、コンピュータ１へその使用を許可する旨を通知する（Ｓ５）。
【００４４】
ユーザＵａは、文書を印刷すべく、コンピュータ１を操作する。コンピュータ１の送信部１４は、検出したユーザ識別子と、印刷すべき文書を示す文書識別子を管理装置３に送信する（Ｓ７）。印刷すべき文書は、この文書識別子が示す場所に記憶されていることとする。例えば、印刷すべき文書は、コンピュータ１から管理装置３に送信され、管理装置３は、文書を文書識別子に応じた場所に記憶させる。あるいは、印刷すべき文書は、予め記憶されており、コンピュータ１は、文書識別子でその場所を管理装置３に通知する。
【００４５】
管理装置３の送信部３３は、送信されたユーザ識別子を、送信された文書識別子に関連づけて、管理情報記憶部３２に記憶させる（Ｓ９）。
【００４６】
同様にして、管理情報記憶部３２においては、ユーザ装置５ａに記憶されたユーザ識別子が、複数の文書識別子に関連づけられたこととする。つまり、ユーザＵａが、同様の操作を複数回行ったこととする。
【００４７】
さて、ユーザＵａは、文書を印刷すべく、印刷装置４の電極４１に触れる。ユーザ装置５ａの電極５４は、ユーザＵａを介して、ユーザ識別子に応じた波形をもつ電圧を印刷装置４の電極４１に印加する。こうして、ユーザ装置５ａはユーザ識別子を印刷装置４に送信する（Ｓ１１）。
【００４８】
印刷装置４の検出部４２は、電極４１に印加された電圧によりユーザ識別子を検出する。ここでは、電界光学検出部４２１は、電極４１に印加された電圧を光学的に検出し、信号処理回路４２２は、その光学的な検出結果を電気信号に変換する。波形整形回路４２３は、その電気信号の波形を整形し、整形後の波形によりユーザ識別子を検出し、ユーザ識別子を送信部４３に出力する。
【００４９】
電界光学検出部４２１、信号処理回路４２２および波形整形回路４３３の詳しい動作は、コンピュータ１の検出部１３における電界光学検出部１３１、信号処理回路１３２および波形整形回路１３３のものと同様である。
【００５０】
また、検出部４２を搬送波再生回路４２６、復調回路４２７および補正回路４２８で構成したときの詳しい動作は、コンピュータ１の検出部１３における搬送波再生回路１３６、復調回路１３７および補正回路１３８のものと同様である。
【００５１】
送信部４３は、このユーザ識別子をネットワーク２を介して、管理装置３に送信する（Ｓ１３）。
【００５２】
管理装置３の送信部３３は、送信されたユーザ識別子に関連づけられた文書識別子を、管理情報記憶部３２から読み出し、その文書識別子が示す文書の文書名からなるリストを印刷装置４に送信する（Ｓ１５）。文書名は、例えば、文書の中から取得され、その文書の文書識別子に対応づけされる。
【００５３】
印刷装置４の送信部４３は、送信されたリストを受信し、表示装置４５に表示させる（Ｓ１７）。
【００５４】
ユーザＵａは入力装置４６を使用して、全てあるいは必要な文書の文書名を選択する（Ｓ１９）。
【００５５】
送信部４３は、入力装置４６からの信号により、選択された文書名を検出し、この文書名をネットワーク２を介して、管理装置３に送信する（Ｓ２１）。
【００５６】
管理装置３の送信部３３は、送信された文書名に対応する文書識別子が示す場所に記憶された文書を読み出し、その文書を印刷装置４に送信する（Ｓ２３）。
【００５７】
印刷装置４の送信部４３は、送信された文書を受信し、印刷部４４に与える。印刷部４４は、その文書を印刷する（Ｓ２５）。
【００５８】
なお、管理装置３の送信部３３は、ステップＳ１３で送信されたユーザ識別子に関連づけられた文書識別子を読み出した後、その文書識別子が示す場所に記憶された文書を読み出して印刷装置４に送信し、印刷装置４がその文書を印刷するようにしてもよい。
【００５９】
［第２の実施の形態］
次に、本発明の第２の実施の形態に係る文書印刷システムについて説明する。なお、第１の実施の形態で用いた構成要素には、同一符号を付し、重複説明を省略する。
【００６０】
図９は、第２の実施の形態に係る文書印刷システムの構成図である。
【００６１】
複数のコンピュータ１ａ並びに複数の送信装置１ｂが、ＬＡＮなどのネットワーク２に接続され、ネットワーク２には、管理装置３ａと印刷装置４が接続される。また、各コンピュータ１ａに対して、可動式の椅子６が用意され、その下の床に送信装置１ｂが設けられている。
【００６２】
コンピュータ１ａは、印刷すべき文書を示す文書識別子を管理装置３に送信できるように構成されたものである。
【００６３】
椅子６は、ユーザを介して電圧が印加される電極６１と、電極６１にリード線など接続されるとともに床に向けて配置された電極６２とを備える。電極６１は、例えば、座面や背もたれに設けられる。
【００６４】
図１０は、送信装置１ｂの構成図である。
【００６５】
図１０（ａ）に示すように、送信装置１ｂは、送信装置１ｂを示す送信装置識別子が記憶されたメモリ１０１と、床に設けられてユーザと椅子６を介して電圧が印加される電極１０２と、電極１０２に印加された電圧によりユーザ識別子を検出する検出部１０３と、送信装置識別子並びに検出されたユーザ識別子を管理装置３に送信する送信部１０４とを備える。検出部１０３は、電極１０２に印加された電圧を光学的に検出する電界光学検出部１０３１、光学的な検出結果を電気信号に変換する信号処理回路１０３２、電気信号の波形を整形する波形整形回路１０３３を備える。電極１０２は上に向けて設けられる。
【００６６】
なお、図１０（ｂ）に示すように、検出部１０３は、電極１０２の電圧信号から搬送波を抽出する搬送波再生回路１０３６と、搬送波再生回路１０３６で再生された搬送波と電極１０２の電圧信号をもとにユーザ識別子を検出する復調回路１０３７と、復調回路１０３７より出力される復調信号のＨレベルとＬレベルの反転が起きていないかを判定し補正するための補正回路１０３８とにより構成してもよい。
【００６７】
図１１は、管理装置３ａの構成図である。
【００６８】
管理装置３ａは、各コンピュータ１ａのアドレスにそのアドレスをもつコンピュータ１ａの使用を許可されたユーザのユーザ識別子並びにそのコンピュータ１ａの場所に設置された送信装置１ｂの送信装置識別子を関連づけて記憶する認証情報記憶部３０１と、認証情報記憶部３０１に記憶されたアドレスをもつコンピュータから送信された文書識別子をそのアドレスに対して認証情報記憶部３０１で関連づけられたユーザ識別子に関連づけて記憶する管理情報記憶部３０２と、印刷装置４から送信されるユーザ識別子に関連する文書識別子を管理情報記憶部３０２から読み出し、読み出された文書識別子により示される場所に記憶された文書を取得し、当該文書を印刷装置４に送信する送信部３０３とを備える。
【００６９】
送信部３０３は、送信装置１ｂや印刷装置４から情報を受信する機能、管理情報記憶部３２に情報を記憶させる機能、文書名からなるリストを生成し印刷装置４に送信する機能などを兼ね備える。
【００７０】
（第２の実施の形態に係る文書印刷システムの動作）
図１２は、第２の実施の形態に係る文書印刷システムの動作を示すシーケンス図である。
【００７１】
ユーザ装置５ａの制御回路５２は、メモリ５１からユーザ識別子を読み出す。発振回路５３は、そのユーザ識別子に応じた波形をもつ電圧を生成し、その電圧を継続的に電極５４に印加する。電極５４は、その電圧をユーザＵａに印加する。
【００７２】
ユーザＵａは、ある文書を印刷すべく、椅子６に座る。ユーザ装置５ａの電極５４は、ユーザＵａを介して、ユーザ識別子に応じた波形をもつ電圧を椅子６の電極６１に印加する。椅子６の電極６２は、ユーザ識別子に応じた波形をもつ電圧を送信装置１ｂの電極１０２に印加する。こうして、ユーザ装置５ａはユーザ識別子を継続的に送信装置１ｂに送信する（Ｔ１）。
【００７３】
送信装置１ｂの検出部１０３は、電極１０２に印加された電圧によりユーザ識別子を検出する。ここでは、電界光学検出部１０３１が、電極１０２に印加された電圧を光学的に検出し、信号処理回路１０３２は、その光学的な検出結果を電気信号に変換する。波形整形回路１０３３は、その電気信号の波形を整形し、整形後の波形によりユーザ識別子を検出し、ユーザ識別子を送信部１０４に出力する。
【００７４】
電界光学検出部１０３１、信号処理回路１０３２および波形整形回路１０３３の詳しい動作は、第１の実施の形態で用いられたコンピュータ１の検出部１３における電界光学検出部１３１、信号処理回路１３２および波形整形回路１３３のものと同様である。
【００７５】
また、検出部１０３を搬送波再生回路１０３６、復調回路１０３７および補正回路１０３８で構成したときの詳しい動作は、第１の実施の形態で用いられたコンピュータ１の検出部１３における搬送波再生回路１３６、復調回路１３７および補正回路１３８のものと同様である。
【００７６】
送信部１０４は、メモリ１０１から送信装置識別子を読み出し、波形整形回路１０３３から送信されたユーザ識別子と当該送信装置識別子をネットワーク２を介して、管理装置３ａに送信する（Ｔ３）。
【００７７】
管理装置３ａの送信部３０３は、送信されたユーザ識別子と送信装置識別子が関連づけて認証情報記憶部３０１に記憶されているなら、そのユーザ識別子と送信装置識別子に対して認証情報記憶部３０１で関連づけられたアドレスをもつコンピュータ１ａへ使用を許可する旨を通知する（Ｔ５）。
【００７８】
ユーザＵａは、文書を印刷すべく、コンピュータ１ａを操作する。コンピュータ１ａは、印刷すべき文書を示す文書識別子を管理装置３ａに送信する（Ｔ７）。印刷すべき文書は、この文書識別子が示す場所に記憶されていることとする。印刷すべき文書は、コンピュータ１から管理装置３ａに送信され、管理装置３ａは、文書を文書識別子に応じた場所に記憶させる。あるいは、印刷すべき文書は、予め記憶されており、コンピュータ１は、文書識別子でその場所を管理装置３ａに通知する。
【００７９】
管理装置３ａの送信部３０３は、文書識別子を送信したコンピュータ１ａのアドレスに対して認証情報記憶部３０１で関連づけられたユーザ識別子を読み出し、このユーザ識別子を、送信された文書識別子に関連づけて、管理情報記憶部３０２に記憶させる（Ｔ９）。
【００８０】
同様にして、管理情報記憶部３０２においては、ユーザ装置５ａに記憶されたユーザ識別子が、複数の文書識別子に関連づけられたこととする。つまり、ユーザＵａが、同様の操作を複数回行ったこととする。
【００８１】
さて、ユーザＵａは、文書を印刷すべく、印刷装置４の電極４１に触れる。ユーザ装置５ａの電極５４は、ユーザＵａを介して、ユーザ識別子に応じた波形をもつ電圧を印刷装置４の電極４１に印加する。こうして、ユーザ装置５ａはユーザ識別子を印刷装置４に送信する（Ｔ１１）。
【００８２】
印刷装置４の検出部４２は、電極４１に印加された電圧によりユーザ識別子を検出する。ここでは、電界光学検出部４２１は、電極４１に印加された電圧を光学的に検出し、信号処理回路４２２は、その光学的な検出結果を電気信号に変換する。波形整形回路４２３は、その電気信号の波形を整形し、整形後の波形によりユーザ識別子を検出し、ユーザ識別子を送信部４３に出力する。
【００８３】
電界光学検出部４２１、信号処理回路４２２および波形整形回路４２３の詳しい動作は、第１の実施の形態で用いられたコンピュータ１の検出部１３における電界光学検出部１３１、信号処理回路１３２および波形整形回路１３３のものと同様である。
【００８４】
また、検出部４２を搬送波再生回路４２６、復調回路４２７および補正回路４２８で構成したときの詳しい動作は、第１の実施の形態で用いられたコンピュータ１の検出部１３における搬送波再生回路１３６、復調回路１３７および補正回路１３８のものと同様である。
【００８５】
送信部４３は、このユーザ識別子をネットワーク２を介して、管理装置３ａに送信する（Ｔ１３）。
【００８６】
管理装置３ａの送信部３０３は、送信されたユーザ識別子に関連づけられた文書識別子を、管理情報記憶部３２から読み出し、その文書識別子が示す文書の文書名からなるリストを印刷装置４に送信する（Ｔ１５）。文書名は、例えば、文書の中から取得され、その文書の文書識別子に対応づけされる。
【００８７】
印刷装置４の送信部４３は、送信されたリストを受信し、表示装置４５に表示させる（Ｔ１７）。
【００８８】
ユーザＵａは入力装置４６を使用して、全てあるいは必要な文書の文書名を選択する（Ｔ１９）。
【００８９】
送信部４３は、入力装置４６からの信号により、選択された文書名を検出し、この文書名をネットワーク２を介して、管理装置３ａに送信する（Ｔ２１）。
【００９０】
管理装置３ａの送信部３０３は、送信された文書名に対応する文書識別子の場所に記憶された文書を読み出し、その文書を印刷装置４に送信する（Ｔ２３）。
【００９１】
印刷装置４の送信部４３は、送信された文書を受信し、印刷部４４に与える。印刷部４４は、その文書を印刷する（Ｔ２５）。
【００９２】
なお、管理装置３ａの送信部３０３は、ステップＴ１３で送信されたユーザ識別子に関連づけられた文書識別子を読み出した後、その文書識別子が示す場所に記憶された文書を読み出して印刷装置４に送信し、印刷装置４がその文書を印刷するようにしてもよい。
【００９３】
したがって、本発明の一実施の形態に係る文書印刷システムによれば、ユーザが印刷装置の電極に触れたときにそのユーザの文書のみが印刷されるので、文書が誤って持ち去られることがない。また、文書が印刷されたまま放置されることがない。よって、印刷装置の場所で待機する人間や、放置された文書に気づいた人間により文書が悪意で持ち去られ、その文書内の情報が流出する虞がない。
【００９４】
また、第２の実施の形態では、予めユーザ識別子などに関連づけて記憶したアドレスをもつコンピュータから送信された文書識別子をユーザ識別子などに関連づけて記憶し、その文書識別子の文書を印刷するようにしたので、コンピュータにユーザ識別子を検出する検出部などを設ける必要がなく、通常のコンピュータを使用して文書を印刷することができる。
【００９５】
また、文書名のリストから選択された文書名の文書を印刷するようにしたので、必要な文書だけを印刷することができる。
【００９６】
また、送信装置の電極を床に設け、上記の可動式の椅子を設けたので、椅子の位置を変えてもコンピュータに対する文書印刷の操作を行うことができる。
【００９７】
なお、可動式の椅子が必要ないなら、それを、電極のない固定式のものに代え、送信装置の電極をその固定式の座面や背もたれに設ければよく、この場合でも本文書印刷システムは有効に機能する。
【図面の簡単な説明】
【００９８】
【図１】第１の実施の形態に係る文書印刷システムの構成図である。
【図２】図１に示すユーザ装置５ａの構成図である。
【図３】図１に示すコンピュータ１の構成図である。
【図４】図１に示す管理装置３の構成図である。
【図５】図１に示す印刷装置４の構成図である。
【図６】図５に示す送信部４３の一例に係る構成図である。
【図７】図５に示す送信部４３の他の一例に係る構成図である。
【図８】図１に示す文書印刷システムの動作を示すシーケンス図である。
【図９】第２の実施の形態に係る文書印刷システムの構成図である。
【図１０】図９に示す送信装置１ｂの構成図である。
【図１１】図９に示す管理装置３ａの構成図である。
【図１２】図９に示す文書印刷システムの動作を示すシーケンス図である。
【符号の説明】
【００９９】
１、１ａ…コンピュータ
１ｂ…送信装置
３、３ａ…管理装置
４…印刷装置
５ａ…ユーザ装置
６…椅子
１１、５１、１０１…メモリ
１２、４１、５４、６１、６２１０２…電極
１３、４２、１０３…検出部
１４、３３、４３、１０４、３０３…送信部
３１、３０１…認証情報記憶部
３２、３０２…管理情報記憶部
４４…印刷部
４５…表示装置
５２…制御回路
５３…発振回路
Ｕａ…ユーザ
【図１】
0004630888.tif 000002
【図２】
0004630888.tif 000003
【図３】
0004630888.tif 000004
【図４】
0004630888.tif 000005
【図５】
0004630888.tif 000006
【図６】
0004630888.tif 000007
【図７】
0004630888.tif 000008
【図８】
0004630888.tif 000009
【図９】
0004630888.tif 000010
【図１０】
0004630888.tif 000011
【図１１】
0004630888.tif 000012
【図１２】
0004630888.tif 000013